(57)【要約】【課題】モニタの角度調整ができ、視認性が良好であるうえに、意匠面の一体化が保持できる構造を提供しようとする。【解決手段】運転室内装備カバー体１のモニタ取付開口端を、モニタケース２１の周囲を覆うように内方に張り出させるとともに、少なくとも、モニタケースの傾動軸に平行な周縁に当接する部分１０に柔軟材を用いる。また、モニタケース２１を傾動自在に支持する軸支部２２を、前記モニタ取付開口内に配置させ、その開口内でモニタケース２１を傾動自在とさせる。【選択図】        図１
2004276829.tif 000002
【特許請求の範囲】
【請求項１】
運転室内装備カバー体のモニタ取付開口端を、モニタケースの周囲を覆うように内方に張り出させるとともに、少なくとも、モニタケースの傾動軸に平行な周縁に当接する部分に柔軟材を用い、一方、モニタケースを傾動自在に支持する軸支部を、前記モニタ取付開口内に配置させ、その開口内でモニタケースを傾動自在とさせたことを特徴とする建設機械の表示モニタ。
【発明の詳細な説明】
【０００１】
【発明の属する技術分野】
この発明は、建設機械の運転室に装備される表示モニタに関する。
【０００２】
【従来の技術】
油圧ショベル等の建設機械の運転室内に設置されるモニタ３には、角度調整できない固定タイプ３ａと、調整可能な可動タイプ３ｂ，３ｃとがある。図３は、固定タイプ３ａの一例であり、図４及び図５は可動タイプ３ｂ，３ｃの一例である。図４に示すタイプ３ｂは、図３に示す固定モニタ３ａと同じ位置で傾動自在に支持されており、その傾動角度が調整できるものである。また、図５に示すタイプ３ｃは、実開平９−２８号（特許文献１）において提案されているものであり、コンソール４の前方に突出するモニタ取付部５を別設し、その取付部５にモニタ３ｃを起倒自在に取り付けたものである。
【０００３】
【特許文献１】
実開平９−２８号（４−１２頁、図１、図２、図４、図５）
【０００４】
【発明が解決しようとする課題】
固定タイプのモニタ３ａの場合、装備カバー体１に嵌め込まれるので、それと一体的に意匠面を構成できるが、モニタ３ａの方向が調整できないため、運転者の体型や作業姿勢によってモニタ３ａの表示が見づらい場合がある。
【０００５】
一方、可動タイプのモニタ３ｂ，３ｃの場合、モニタの視認性の問題はないが、可動させるために、モニタ３ｂ，３ｃ部分だけが装備カバー体から切り離された形状となり、意匠面の一体化がない。特に、図５に示す構造では、コンソール４から飛び出した状態となり、一体感とはほど遠い形態となる。
【０００６】
すなわち、従来のモニタ設置構造では、モニタ周囲の装備カバー体との一体的な意匠面を重視して固定タイプとすると、モニタの角度調整ができず、運転者の体型や作業姿勢によってはモニタが見づらいという問題があり、一方可動タイプとすると、モニタのみが突出して一体的な意匠面の外観を崩す問題があり、いずれにしても両タイプには相矛盾した問題を有していた。
【０００７】
この発明は、従来技術の以上のような問題に鑑み創案されたもので、モニタの角度調整ができ、視認性が良好であるうえに、意匠面の一体化が保持できる構造を提供しようとするものである。
【０００８】
【課題を解決しようとする手段】
このため、この発明に係る建設機械の表示モニタは、運転室内装備カバー体のモニタ取付開口端を、モニタケースの周囲を覆うように内方に張り出させるとともに、少なくとも、モニタケースの傾動軸に平行な周縁に当接する部分に柔軟材を用い、一方、モニタケースを傾動自在に支持する軸支部を、前記モニタ取付開口内に配置させ、その開口内でモニタケースを傾動自在とさせたことを特徴とする。
【０００９】
前記柔軟材としては、ゴムなどの弾性体のほか、シリコンや軟質樹脂及び樹脂フィルム等、それと当接するモニタケースが傾動する際、その傾動動作を妨げない程度の摩擦力を有する素材が好ましい。
【００１０】
モニタは、そのケースの周囲を、内方に張り出しているモニタ取付開口端で覆われており、このためモニタとその取付部が一体的となって、デザイン的にも違和感のない構造となる。また、モニタケースを傾動自在に支持する軸支部を、前記モニタ取付開口内に配置させ、その開口内でモニタケースを傾動自在とさせているので、モニタケースを傾動させれば、オペレータがもっとも見やすい角度に調整できる。開口端が内方に張り出してモニタケースを覆っているが、覆われる部分はモニタケースの周囲だけなので、モニタ表示部はどの角度に傾動させても開口から露出することになり、視認性に問題なはい。また、取付部開口端とケース周囲とが当接しているが、その当接部に柔軟材が用いられているので、モニタケースの傾動動作を妨げることがない一方、柔軟材の摩擦抵抗力により所定の角度でのケース固定の便にも供している。なお、モニタケースの固定を徹底させる構成として、後述する形態例のように、開口端当接部の柔軟材でモニタケース周囲を圧接する構成としても、また傾動軸やケース等を固定するストッパを別途設ける構成としても良い。
【００１１】
【発明の実施の形態】
本発明の具体的実施形態例を図１に基づき説明する。なお、以下の形態例はあくまで一例であり、本発明が本形態例に限定されるものでないことは当然である。
【００１２】
本形態例は、油圧ショベルの運転室に配置される例であり、図３に示す固定タイプが設置される装備カバー体と同じ箇所（以下、この設置部位を右前方装備カバー体１という）に設置される場合の例である。
【００１３】
図１は右前方装備カバー体１を上下方向に切断した際の断面図である。右前方装備カバー体１には、モニタ取付開口が穿設されており、その開口端は、図示のように、略円弧状に内方に張り出している。この張出部の先端１０は、ゴム等の柔軟材で形成される（以下この先端部をブレード１０という）。
【００１４】
モニタ２は、モニタ表示部２０の周囲がモニタケース２１で覆われており、モニタケース２１はその下部に軸支部２２が形成されている。モニタケース２１の上部側の周縁は、前記開口端の円弧状に沿った形状であるが、その曲率が開口端のそれよりやや小さいテーパ状に形成される。モニタケース２１は、その軸支部２２が前記右前方装備カバー体１のモニタ取付開口内に配置され、該開口内の回転軸１１で軸支される。また、軸支された状態では、図示のように、モニタ表示部２０が開口外に露出しつつ、モニタケース２１の回転軸１１に平行な周縁を含むテーパ状周縁に前記ブレード１０が当接する。該ブレード１０は、当接部分の曲率がモニタケース２１周縁より大きく、またその素材が柔軟材で形成されるため、その当接状態では、モニタケース２１周縁に対して圧接することになり、この圧接抵抗力によって、モニタケース２１を傾動させてもモニタケース２１がブレード１０から外れることがない。さらに、素材の摩擦抵抗力によって、所定の位置においてモニタケース２１の遊びが防止される。すなわち、モニタケース２１の固定が徹底される。なお、モニタケース２１の固定手段として、回転軸１１を固定する構成としても良いが、そうすると、回転軸１１の半径に対してモニタ２が大きいため、本形態例よりも強固な固定力が必要となる。加えて本形態例では、モニタケース２１の周縁全体が当接することになるので、圧接の程度も小さくて足りる。
【００１５】
本形態例において、オペレータがモニタ２角度を調整する場合は、ブレード１０の圧接に抗してモニタケース２１（あるいはモニタ表示部２０）を押す。モニタケース２１が軸１１を中心として傾動するので、その傾動動作によりモニタ表示部２０が見やすい任意の角度に合わせられる。その際、前記圧接抵抗力に加えて、ブレード１０の摩擦抵抗力によって、その傾動位置で遊びなく固定される。
【００１６】
モニタケース２１の周縁形状とブレード１０（開口端）の形状は、図示のように、ほぼ同様の円弧状をなし、このためモニタ２角度が変わっても、右前方装備カバー体１の外形と一体的な印象は変わらないので、意匠面の一体感は保持される。
【００１７】
なお、本形態例においては、右前方装備カバー体１にモニタ２を配置するものとしているが、他の箇所、例えば図２に示す箇所（前記右前方装備カバー体１のやや下方部）など、建設機械の特性やオペレータの趣向等に適応する種々の箇所に配置してももちろん良い。
【００１８】
【発明の効果】
以上説明したように、この発明に係る建設機械の表示モニタによれば、モニタの角度調整ができ、視認性が良好であるうえに、意匠面の一体化が保持できるといった優れた効果を奏する。
【図面の簡単な説明】
【図１】本発明の一実施形態例を示したもので、右前方装備カバー体１を上下方向に切断した際の断面図である。（ａ）はモニタ表示部が水平状態、（ｂ）はモニタ表示部が傾動した状態をそれぞれ示している。
【図２】本発明の他の形態例を示した説明図である。
【図３】従来の固定タイプのモニタ構造を示した説明図である。
【図４】従来の可動タイプのモニタ構造を示した説明図である。
【図５】特許文献１に示される従来の可動タイプのモニタ構造を示した説明図である。
【符号の説明】
１            右前方装備カバー体
２            モニタ
１０            ブレード
１１            傾動軸
２０            モニタ表示部
２１            モニタケース
２２            軸支部
【図１】
2004276829.tif 000003
【図２】
2004276829.tif 000004
【図３】
2004276829.tif 000005
【図４】
2004276829.tif 000006
【図５】
2004276829.tif 000007